(57)【要約】      （修正有）【課題】測定精度の低下を防止するための、外光の入射を防ぐ遮光手段となる羽部を備えるパルスオキシメータの保護カバーを提供する。【解決手段】指用パルスオキシメータの保護カバー１０は、第１の筐体と第２の筐体とを備え、該第１の筐体と該第２の筐体とを一端で回動軸支して構成する。さらに、第１の筐体を覆うための第１の枠部材２０と、第２の筐体を覆うための第２の枠部材３０と、第１の枠部材２０と第２の枠部材３０とを一端で連結する連結部材とを備え、第１の枠部材２０は、外光の入射を防ぐ遮光手段となる羽部２１を側面部に備え、パルスオキシメータの表示部の視認を確保するための開口部２６を上面部に備える。【選択図】図２
0003169873.tif 000002
【実用新案登録請求の範囲】
【請求項１】
第１の筐体と第２の筐体とを備え、該第１の筐体と該第２の筐体とが支軸で回動軸支される指用パルスオキシメータ、に用いられる保護カバーであって、
前記第１の筐体を覆うための第１の枠部材と、
前記第２の筐体を覆うための第２の枠部材と、
前記第１の枠部材と前記第２の枠部材とを一端で連結する連結部材と
を備え、
前記第１の枠部材は、外光の入射を防ぐ遮光手段となる羽部を側面部に備え、前記パルスオキシメータの表示部の視認を確保するための開口部を上面部に備える、
指用パルスオキシメータの保護カバー。
【請求項２】
前記羽部は、前記保護カバーが前記指用パルスオキシメータに装着された状態において、前記第１の枠部材の側面中央から前記支軸近傍にかけて前記第２の枠部材に重畳するように延設されていることを特徴とする請求項１に記載の指用パルスオキシメータの保護カバー。
【請求項３】
第１の筐体と第２の筐体とを備え、該第１の筐体と該第２の筐体とが支軸で回動軸支される指用パルスオキシメータ、に用いられる保護カバーであって、
前記第１の筐体を覆うための第１の枠部材と、
前記第２の筐体を覆うための第２の枠部材と、
前記第１の枠部材と前記第２の枠部材とを一端で連結する連結部材と
を備え、
前記第２の枠部材は、外光の入射を防ぐ遮光手段となる羽部を備え、該羽部は、前記保護カバーが前記指用パルスオキシメータに装着された状態において、前記第２の枠部材の側面中央から前記支軸近傍にかけて前記第１の枠部材に重畳するように延設されていることを特徴とする指用パルスオキシメータの保護カバー。
【請求項４】
前記保護カバーは、弾性材料から形成されることを特徴とする請求項１ないし３に記載の指用パルスオキシメータの保護カバー。
【請求項５】
前記保護カバーは、シリコンゴムから形成されることを特徴とする請求項４に記載の指用パルスオキシメータの保護カバー。
【請求項６】
第１の筐体と第２の筐体とを備え、該第１の筐体と該第２の筐体とが支軸で回動軸支される指用パルスオキシメータ、に用いられる保護カバーであって、
前記第１の筐体を覆うための第１の枠部材と、
前記第２の筐体を覆うための第２の枠部材と、
前記第１の枠部材と前記第２の枠部材とを一端で連結する連結部材と
を備え、
前記第１の枠体の側面下部の少なくとも一部と、前記第２の枠体の側面上部の少なくとも一部との間をつなぐように設けられた伸縮可能な膜体を備える、
指用パルスオキシメータの保護カバー。
【請求項７】
前記膜体が折り畳み式で伸縮可能な膜体であることを特徴とする請求項６に記載の指用パルスオキシメータの保護カバー。
【考案の詳細な説明】
【技術分野】
【０００１】
本考案は、主に指用パルスオキシメータに使用される保護カバーに関する。
【背景技術】
【０００２】
パルスオキシメータは、プローブを指先や耳等につけて、非侵襲的に動脈血の酸素飽和状態をモニタする医療機器である。プローブは発光部とセンサで構成される。発光部は赤色光と赤外光を発し、該光が指先等を透過したもの又は反射したものをセンサで測定する。血液中のヘモグロビンは酸素との結合の有無により赤色光と赤外光の吸光度が異なるので、センサで透過光や反射光を測定して分析することにより、経皮的動脈血酸素飽和度（SpO２）を測定することができる。
【０００３】
最近では、電子部品の小型化に伴い、パルスオキシメータも、小型軽量化ならびに低価格化が実現されている。このようなパルスオキシメータの小型軽量化は、手術室以外での用途を広げている。例えば、手術室以外での患者自身による呼吸器疾患の検査や訪問看護での使用が可能になったほか、予備的な健康診断手法としての使用や、運動が過度に人体に負担をかけていないかの判断に使用する等スポーツ医学の領域にまで用途は広がっている。
【０００４】
市販されている小型のパルスオキシメータは、手に持てる大きさのハンドヘルド型、片手で保持できるワンハンドグリップ型、腕時計型、指先に取り付けるセンサに表示部も一体化された指先一体型のもの等さまざまである。
【０００５】
家庭で使用する場合やスポーツ施設でパルスオキシメータを使用する場合、連続的に測定するのではなく特定の瞬間の値を測定するスポット測定が基本になるため、より小型化が求められる。すなわち、プローブが交換できない一体型（携帯型）が使用されることが多い。このような指先一体型は、小型で携帯性が優れるという長所がある一方、落下による衝撃により故障しやすいという短所を有する。そのため、指先一体型のパルスオキシメータ１００を保護するための保護カバーが存在する。
【考案の開示】
【考案が解決しようとする課題】
【０００６】
しかし、従来のパルスオキシメータの保護カバーは以下の問題があった。
【０００７】
すなわち、実使用時の精度である。指用パルスオキシメータは、指先の動脈血の脈動を光で捉えて測定するものである。健康で充分な血流がある場合には、精度に差は出ないが、血流の悪い状態の場合には得られる真の信号量が少なくなり、誤差の原因となるノイズが多くなるため、正しい測定結果を得ることが難しい場合がある。このような条件において、いわゆるクリップ方式のパルスオキシメータでは、指が動いた時にヒンジの部分を中心に筐体が上下に開いて隙間が生じ、照明光や太陽光等の外光が機器に入り込みやすく精度が劣化する問題が存在する。
【０００８】
図７を参照しながら、詳細に説明する。図７は、従来の指用パルスオキシメータ１００の使用方法を簡単に示し、指用パルスオキシメータ１００について、（ａ）は閉状態を示す図であり、（ｂ）は開状態において、指９９が差し入れられる状態を示す図であり、（c）は、開状態で指９９が指用パルスオキシメータ１００に差し入れられた状態を示す図である。
【０００９】
図６（ａ）の閉状態においては、第１の筐体２００と第２の筐体３００とは略隙間なく閉じられるため、外光が受光部（図に示されない）に入り込むことはない。しかし、指９９がパルスオキシメータ１００に差し入れられるとき、筐体２００は支軸４００を介して図面の上方向に回動して、図６（ｂ）の開状態になる。そうすると、筐体２００と筐体３００との間に隙間ができ、支軸４００の近傍から外光が入り込みうる。また、図６（c）に示すとおり、指９９をパルスオキシメータ１００に差し込んだ状態において、指９９が動いた時に支軸９９の部分を中心に筐体２００が上下に開いて隙間が生じ、照明光や太陽光等の外光がパルスオキシメータ１００内に入る可能性もある。すなわち、いわゆるクリップ方式のパルスオキシメータ１００においては、指挿入口９０が側面視横Ｖ字形に開放する構造であることから、パルスオキシメータ１００の形状に合致しただけの該保護カバーを装着しても、経皮的動脈血酸素飽和度（SpO２）測定に係る精度が劣化する問題が存在する。
【００１０】
上記問題点に鑑み、本考案は、測定精度の低下を防止するための、外光の入射を防ぐ遮光手段となる羽部を備えるパルスオキシメータの保護カバーを提供することを目的とする。
【課題を解決するための手段】
【００１１】
上記目的を達成するため、本考案の指用パルスオキシメータの保護カバーは、第１の筐体と第２の筐体とを備え、該第１の筐体と該第２の筐体とが一端で回動軸支される指用パルスオキシメータ、に用いられる保護カバーであって、第１の筐体を覆うための第１の枠部材と、第２の筐体を覆うための第２の枠部材と、第１の枠部材と第２の枠部材とを一端で連結する連結部材とを備え、第１の枠部材は、外光の入射を防ぐ遮光手段となる羽部を側面部に備え、パルスオキシメータの表示部の視認を確保するための開口部を上面部に備えることを特徴とする。
【００１２】
なお、羽部は、保護カバーがパルスオキシメータに装着された状態において、第１の枠部材の側面中央から支軸近傍にかけて第２の枠部材に重畳するように延設されるとよい。さらに、第２の枠部材も、外光の入射を防ぐ遮光手段となる羽部を備え、羽部は、保護カバーがパルスオキシメータに装着された状態において、第２の枠部材の側面中央から指用パルスメータの支軸近傍にかけて第１の枠部材に重畳するように延設されるようにしてもよい。
【００１３】
保護カバーは、弾性材料から形成されるとよい。例えば、シリコンゴムが好適であるが、ポリプロピレン樹脂、エラストマ、ナイロン樹脂、エンプラ樹脂でもよい。また、保護カバーは、パルスオキシメータの形状に合致した金型で一体成型されると好適である。
【００１４】
変形形態に係る保護カバーは、第１の枠体の側面下部の少なくとも一部と、第２の枠体の側面上部の少なくとも一部との間をつなぐように設けられた伸縮可能な膜体を備える構造でもよい。該膜体は、折り畳み式で伸縮可能であれば好適である。
【考案の効果】
【００１５】
本考案に係る指用パルスオキシメータの保護カバーによれば、落下による衝撃からパルスオキシメータを保護することができ、破損や測定精度の低下といった問題が低減される。また、本考案に係る指用パルスオキシメータの保護カバーによれば、照明光や太陽光等の外光の入射を防ぐ遮光手段により、測定精度の低下を防止することができる。さらに、本考案に係る指用パルスオキシメータの保護カバーによれば、金型で一体成型することが可能であり、コストを低減することができる。
【図面の簡単な説明】
【００１６】
【図１】本考案の実施例１の保護カバー１０が装着される指用パルスオキシメータ１の構成例を簡単に示した斜視図である。
【図２】本考案の実施例１の指用パルスオキシメータの保護カバー１０を簡単に示した斜視図である。
【図３】本考案の実施例１の指用パルスオキシメータの保護カバー１０について、パルスオキシメータ１に装着された状態の側面図であり、（ａ）は閉状態を示す図であり、（ｂ）は開状態を示す図である。
【図４】本考案の実施例１の指用パルスオキシメータの保護カバー１０について、パルスオキシメータ１を装着する前の図であり、（ａ）は平面図であり、（ｂ）は左側面図である。
【図５】本考案の実施例２の指用パルスオキシメータの保護カバー１１について、パルスオキシメータ１を装着する前の図であり、（ａ）は平面図であり、（ｂ）は左側面図である。
【図６】本考案の実施例３の指用パルスオキシメータの保護カバー１２について、パルスオキシメータ１に装着された状態の側面図であり、（ａ）は閉状態を示す図であり、（ｂ）は開状態を示す図である。
【図７】指用パルスオキシメータ１００の使用方法を簡単に示す図である。
【考案を実施するための形態】
【００１７】
以下、本考案の実施の形態を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施の形態に限定されるものではない。
【実施例１】
【００１８】
実施例１を図面を参照して詳細に説明する。
【００１９】
図１を参照する。図１は、本考案の実施例１の保護カバー１０が装着される指用パルスオキシメータ１の構成例を簡単に示した斜視図である。本考案の実施例１の保護カバー１０を説明するため、該保護カバー１０が装着される指用パルスオキシメータ１の外観上の構成を説明する。
【００２０】
図１に示すとおり、指用パルスオキシメータ１は、外観状態において、第１の筐体２と、第２の筐体３と、第１の筐体２及び第２の筐体３を軸支する支軸５とを備える。第１の筐体２の上面部は、液晶表示部６と操作部７を備える。第１の筐体２は、支軸５を介して、第２の筐体３に対して回動可能である。
【００２１】
なお、図１において、受光部を有する本体部８は示されているものの、発光部及び受光部そのものは示されない。
【００２２】
次に図２を参照する。図２は、本考案の実施例１の指用パルスオキシメータの保護カバー１０を簡単に示した斜視図である。
【００２３】
図２に示すとおり、保護カバー１０は、第１の枠部材２０と、第２の枠部材３０と、連結部材４０（図に示されない）とを備える。第１の枠部材２０は、上面部に開口部２６と突起部２７を有する。開口部２６は、図１に示すパルスオキシメータ１の表示部６の視認を確保するために設けられている。また、突起部２７は、パルスオキシメータ１の操作部２７を保護しさらに操作容易性を確保するように設けられている。
【００２４】
また、第１の枠部材２０は、外光の入射を防ぐ遮光手段となる羽部２１を側面部に備えている。なお、羽部２１は、保護カバー１０がパルスオキシメータ１に装着された状態において、第１の枠部材２０の側面中央から支軸４近傍にかけて第２の枠部材３０に重畳するように延設されるとよい。
【００２５】
保護カバー１０は、弾性材料から形成されるとよい。例えば、シリコンゴムが好適であるが、ポリプロピレン樹脂、エラストマ、ナイロン樹脂、エンプラ樹脂でもよい。パルスオキシメータ１の損傷防止から保護される材料であればよいが、物性的に人体に害がなくかつ衛生的な弾性材料が好ましく、より伸縮性が高く、環境に優しい材料で形成されるとなおよい。
【００２６】
また、保護カバー１０は、パルスオキシメータ１の形状に合致した金型で一体成型されると好適である。
【００２７】
次に、図３を参照する。図３は、本考案の実施例１の指用パルスオキシメータ保護カバー１０について、パルスオキシメータ１に装着された状態の側面図であり、（ａ）は閉状態を示す図であり、（ｂ）は開状態を示す図である。なお、図３において、保護カバー１０を実線で、パルスオキシメータを破線で示している。
【００２８】
図３（ａ）に示すとおり、保護カバー１０は、第１の枠部材２０と、第２の枠部材３０と、連結部材４０とを備える。第１の枠部材２０は、指用パルスオキシメータ１の第１の筐体２の少なくとも上面角部を被覆し、第２の枠部材３０は、第２の筐体３の少なくとも底面角部を被覆する。連結部材４０は、第１の枠部材２０と第２の枠部材３０とを開閉自在に連結している。前述したように、第１の枠部材２０は、外光の入射を防ぐ遮光手段となる羽部２１を側面部に備えている。図３（ａ）において、羽部２１は、保護カバー１０がパルスオキシメータ１に装着された状態において、第１の枠部材２０の側面中央から支軸４近傍にかけて第２の枠部材３０に重畳するように延設されていることがわかる。
【００２９】
次に、図３（ｂ）を参照しつつ、説明する。図３（ｂ）に示すとおり、支軸５を介して、パルスオキシメータ１の筐体２はアームのように上下方向に回動する。第１の枠部材２０は第１の筐体２に連動するので、第１の筐体２が上方向に回動すると、同じく第１の枠部材２０も上方向に回動する。そうすると、第１の枠部材２０と第２の枠部材３０との間に隙間ができる。しかし、図３（ｂ）に示すとおり、羽部２１は、当該隙間について支軸５の近傍を被覆し続けている。羽部２１により、パルスオキシメータ１の指挿入口９に指９９（図に示されない）を差し入れる状態でも、受光部（図に示されない）に外光の入射を妨げることができる。
【００３０】
図３において、羽部２１は略矩形に示しているが、限定されることはない。羽部２１は略楕円形でもよいし、支軸５の近傍への外光の入射を妨げる形状であればよい。
【００３１】
最後に図４を参照する。図４は、本考案の実施例１の指用パルスオキシメータの保護カバー１０について、パルスオキシメータ１を装着する前の図であり、（ａ）は平面図であり、（ｂ）は（ａ）の左側面図である。
【００３２】
図４（ａ）を参照しつつ説明する。図４（ａ）に示すとおり、保護カバー１０は、第１の枠部材２０と、第２の枠部材３０と、連結部材４０とを備える。第１の枠部材２０は上面部の裏側内面が見えており、開口部２６と突起部２７を有しているのがわかる。第２の枠部材３０は、枠の底内面が見えている状態にある。また、第１の枠部材２０は、左右に羽部２１ａ、２１ｂを備える。
【００３３】
次に、図４（ｂ）を参照する。保護カバー１０をパルスオキシメータ１に装着する様子を簡易に示す。まず、パルスオキシメータ１の第２の筐体３を保護カバー１０の第２の枠部材３０の枠に載せ置き装着し、次に第１の枠部材２０を矢印の方向に持ち上げてパルスオキシメータ１の第１の筐体２の上面部に載せ置いて装着する。そうすると、図３に示すとおりの保護カバー１０の装着状態となる。ここで、第１の枠部材２０には、羽部２１ａが示されているが、右側の羽部２１ｂは示されない。
【実施例２】
【００３４】
実施例２を図面を参照して詳細に説明する。
【００３５】
図５を参照する。図５は、本考案の実施例２の指用パルスオキシメータの保護カバー１１について、パルスオキシメータ１を装着する前の図であり、（ａ）は平面図であり、（ｂ）は左側面図である。図５に示すとおり、実施例２に係る本考案の指用パルスオキシメータの保護カバー１１は、実施例１の変形形態である。すなわち、第１の枠部材２０の羽部２１の代替手段として、第２の枠部材３０が、外光の入射を防ぐ遮光手段となる羽部３１ａ、３１ｂを備え、羽部３１ａ、３１ｂは、保護カバー１１がパルスオキシメータ１に装着された状態において、第２の枠部材３０の側面中央から指用パルスオキシメータ１の支軸５近傍にかけて第１の枠部材２０に重畳するように延設されるようにするとよい。なお、別の変形形態として、第１の枠部材２０は１枚の羽部２１ａ又は２１bを備え、かつ該羽部２１が装着された側面と反対の側面に第２の枠部材３０は１枚の羽部３１b又は３１ａを備えるような構造にしてもよい。
【実施例３】
【００３６】
実施例３を図面を参照して説明する。
【００３７】
図６を参照する。図６は、本考案の実施例３の指用パルスオキシメータの保護カバー１２について、パルスオキシメータ１に装着された状態の側面図であり、（ａ）は閉状態を示す図であり、（ｂ）は開状態を示す図である。
【００３８】
図６（ａ）を参照しつつ説明する。図６（ａ）に示すとおり、保護カバー１２は、第１の枠体２０の側面下部の少なくとも一部と、第２の枠体３０の側面上部の少なくとも一部との間をつなぐように設けられた伸縮可能な膜体７０を備える。該膜体７０は、実施例１及び２に係る羽部２１、３１に代替するもので、図６（ｂ）に示す開状態での遮光手段である。なお、膜体７０は、折り畳み式で伸縮可能であれば好適である。例えば、蛇腹構造であればよい。さらに、膜体７０の色を濃色系として遮光能を向上させてもよい。
【００３９】
以上、本考案の指用パルスオキシメータの保護カバーの構成例における好ましい実施形態を図示して説明してきたが、本考案の技術的範囲を逸脱することなく種々の変更が可能であることは理解されるであろう。
【産業上の利用可能性】
【００４０】
本考案の指用パルスオキシメータの保護カバーは、機器の形状に合致したカバー形状が実現できるので汎用カバーとして広く適用することができ、特に、家庭用やスポーツ施設向けの指用パルスオキシメータ等用に広く適用することができる。
【符号の説明】
【００４１】
１                指用パルスオキシメータ
２                第１の筐体
３                第２の筐体
５                支軸
６                表示部
１０、１１、１２  保護カバー
２０              第１の枠部材
３０              第２の枠部材
２１、３１        羽部
２６              開口部
４０              連結部材
７０              膜体
【図１】
0003169873.tif 000003
【図２】
0003169873.tif 000004
【図３】
0003169873.tif 000005
【図４】
0003169873.tif 000006
【図５】
0003169873.tif 000007
【図６】
0003169873.tif 000008
【図７】
0003169873.tif 000009